(57)【要約】【課題】これは、次のような欠点があった。従来印は段差のある重合部分の押し印は、封印の印影欠陥、不良印影を少なくする方法はインクを多く着けることであった。又は段差のある重合部分の押印はできるだけ、強く押し印することであり。  本発明はこのような従来の押印の印影の問題を解決しようとするものである。  【解決手段】この課題を解決するための請求項1の発明は段差のある重合部分に十分な押圧力が作用しないためにその部分の印影が薄くなる。押圧した時に印影面に作用する。押圧力が印影面の中間部に、他の部分よりも大きくなるように、印影形成部に補助材を設置又は収蔵していることを特長とする押印。本発明は以上の構成のようになる「押印、印」である。【選択図】図８
2014237279.tif 000002
【特許請求の範囲】
【請求項１】
段差のある重合部分に十分な押圧力が作用しないためにその部分の印影が薄くなる。押圧した時に印影面に作用する。押圧力が印影面の中間部に、他の部分よりも大きくなるように、印影形成部に補助材を設置又は収蔵していることを特長とする押印。
【請求項２】
印影形成部は押印本体、ゴム印又は樹脂類、印に可能な素材、クッション弾力材、印影面となっていることを特長とする請求項１の押印。
【請求項３】
印影形成部は押印本体、補助材は突起状の尾根部又は丘状で印影面を形成している。ことを特長とする押印に可能なあらゆる物質素材の請求項１の押印。
【請求項４】
クッション弾力素材又は押印素材の対応箇所を硬化させ補助材としたことを特長とする請求項1の押印。
【発明の詳細な説明】
【技術分野】
【０００１】
本発明は封書、収入印紙等の封じ印又は、あらゆる素材の段差のある重合部分の押印に関する。  
【背景技術】
【０００２】
従来から印、スタンプは封書の閉じる箇所に開封されないように封印していた。封書の閉じる箇所が、重なり厚みの段差が生まれ、押印の印影欠陥 が起きやすかった。
すなわち、あらゆる素材の段差のある重合部分の押印にこのことがいえる。
【先行技術文献】
【特許文献】
【０００３】
従来の印、スタンプは先行技術文献は無し
【発明の概要】
【発明が解決しようとする課題】
【０００４】
これは、次のような欠点があった。従来、段差のある重合部分の押し印は、  封印の印影欠陥 不良印影を少なくする方法としてインクを多く着けることであった。又はあらゆる素材の段差のある重合部分の押印は、できるだけ強く押し印することだけであり。
本発明はこのような従来の、押印の印影欠陥の問題を解決しようとするものである。
【課題を解決するための手段】
【０００５】
この課題を解決するための  請求項1の発明は段差のある重合部分に十分な押圧力が作用しないためにその部分の印影が薄くなる。
押圧した時に印影面に作用する。押圧力が印影面の中間部に、他の部分よりも大きくなるように、印影形成部に補助材を設置又は収蔵していることを特長とする押印、請求項2の発明は印影形成部は押印本体、ゴム印又は樹脂類、印に可能な素材、クッション弾力材、印影面となっていることを特長とする請求項1の押印、請求項3の発明は印影形成部は押印本体、補助材は突起状の尾根部又は丘状で印影面を形成している。ことを特長とする押印に可能なあらゆる物質素材の請求項1の押印、請求項4の発明はクッション弾力素材又は押印素材の対応箇所を硬化させ補助材としたことを特長とする請求項1の押印
本発明は、以上の構成のようになる「押印、印」である。 
【発明の効果】
【０００６】
この発明により、封書の封印する場合、より隅々まで綺麗に押し印が可能になる。封書の重ね合わせの部分は二重になり、隙間の部分だけ正確な印影を得られにくかった。そのため開封して再度閉じても確認できなかった。この発明により正確かつ綺麗な印影を押し印できる。収入印紙の押し印にも綺麗に押し印でき利用できる。又はあらゆる素材の、「段差のある重合部分の封印」押印又は焼印として利用できる。
【図面の簡単な説明】
【０００７】
【図１】封筒の裏側、閉じる箇所に封印
【図２】立方体押印本体に補助材を内蔵
【図３】立方体押印、補助材を内蔵。
【図４】立方体押印本体に段差の突起部（補助材）、図左側は円形の突起部（補助材）を内蔵
【図５】押印本体の上部印部の裏側に補助材を内蔵。
【図６】押印は円柱、落款印でゆるやかな突起部（丘状）
【図７】段差のある集合部分に押印した図、段差のため隙間ができる。
【図８】押印本体の印部に補助材を内蔵する。
【図９】平面に押し印図、
【図１０】ゴム印クッション部又は上部のゴム印部を硬化さす。
【図１１】押印本体は石印、木印、落款印で中央部が丘状に盛り上がり、緩やかな突起部的な補助材的機能
【発明を実施するための形態】
【実施例】
【０００８】
図１は、封筒に封印する図形である。封筒の裏側に押し印し封印する。閉じる所、紙が重なるヶ所は、押し印しても重なる部分に隙間ができ、綺麗に押し印しにくい。印影が消える
【０００９】
図２は、ゴム印スタンプである。印部凹凸の中央内部に突起部を形成するが、通常の平面部に押し印してもきれいに押し印できる。ゴム印又は樹脂印スタンプ、全ての素材のスタンプに示される。
自然な突起部が押印本体に設けられている。押し印した時に中間部に若干、少し強い力が加わる仕組みである。
【００１０】
図３は、円形の薄い素材を貼り付け突起部補助材を形成した押し印、押した時に突起部の上部印おうとつ凹凸表面に少し強い力が加わる仕組みである。突起部の形状又は形はこだわらない。全ての素材、全ての形状。
【００１１】
図４は右側上部の図は、中央部に段差を設け印影上部を一段低くし突起部を形成している。左側下部の図は、突起部を小さな薄い厚みの固体を数ヶ所貼り付けた突起部補助材を形成し、押し印した時に印部表面中心部に若干強い力が加わる仕組みである。図５は印部表面おうとつ凹凸の内部に薄い素材を貼り付けた突起部を形成する。内部の7クッション弾力材の方に補助材の素材を組み入れてもよい。
押し印した時に中心部に若干強い力が加わる仕組みが重要要素である。「中間部に少し強い力が加わる仕組み」であれば使用方法はこだわらない。
【００１２】
図５のようにゴム印部凹凸は自然なウェーブを形成する。
突起部は押印本体の下部平面を突起部に加工形成してもよいが、ゴム印又は樹脂印の裏側、に突起物を挟み込んでも一体加工でもよい。
ゴム印とクッション部、弾力部と押印本体の間に突起部を入れる等、
押印下部平面のゴム印凹凸の中心部にかる少し強い圧力をかけるのが目的であるからにして、ゴム印自体の外部表面に軽いウェーブの突起部を一体形成してもよい。ゴム印素材以外の全てのスタンプ素材にも利用できる。
クッションにも一体形成した突起部補助材クッションを使ってもよい。
押し印した時に中心部に若干強い力が加わる仕組みが重要である。「印の中心部に若干強い力が加わる仕組み」であればシステム、方法はこだわらない。
【００１３】
図６は落款印本体であり、押印本体図の上部平面が押印部である。
落款印は全ての固形体であり、木質、プラスチック、象牙、石質、金属、押印形成可能な物質に、印上部面に軽いウェーブの突起部を形成する。
押し印した時に中心部に若干強い力が加わる仕組みが重要である。「中心部に若干強い力が加わる仕組み」であれば内容、方法、使用はこだわらない。金属であれば焼印又は段差のある重合部分の鉄印加工にも使用できる。全ての金属に利用。
【００１４】
図７は通常のスタンプ、押印であり、封印する部分は重なり、段差を形成する。
封印する場合、重なる段差に封印するため、押し印しても重なる段差部分に空間ができる。
【００１５】
図８は押印本体に突起部を収蔵し重なる段差に押し印た図である。重なる段差部分の空白は図7より綺麗に押し印できる。
【００１６】
図９は押印本体、中央部下に突起部を収蔵する。紙質平面部分に押し印した図である。押印本体に突起部を形成するが、平面状でも普通に綺麗に押し印できる、突起部の高さを形成する。
【００１７】
図１０は押印本体のゴム印おうとつ凹凸の内部、弾力部を中央部のみ固体化させてもよい。又はゴム印おうとつ凹凸中央部を一部若干固体化させて、突起部の効果を持たせてもよい。押し印した時に中心部に若干強い力が加わる仕組みが重要である。「外部より中央部に若干強い押圧力が加わる仕組み」であれば内容、方法はこだわらない
【００１８】
図１１は押印本体の印部を、軽いウェーブを持たせて押し印時に、印おうとつ凹凸部（印表面）に力がよりかかるように補助材として形成する。ウェーブは緩やかな丘状または、緩やかな斜面を左右合わせた岡状部、中央部を突起部補助材を形成する。すなわち中心中央部のみ丘状又は緩やかな山状を形成してもよい。低い丘部、陸状、山脈状に形成しても同じである。「押印の中心部分により押圧力が加わる仕組み」が重要である。
インクが押印本体の内部に貯蓄され印、インク内蔵型浸透押印のインク内臓の押し印等でも、中央部に軽い圧力がかかるよう形成した押し印、バネを内蔵して補助材としてもよいし、インクを浸透する素材又は合成素材を補助材として内蔵してもよいし、又はインク内蔵型浸透押印の印の縁枠（外枠）を丘状に突起さし補助材としてもよい。押し印した時に中心中央部に弱冠強い力が加わる仕組みが重要である。「中央部に若干強い押圧力が加わる仕組み」であれば内容、方法、形状、素材はこだわらない。
押印本体は木印、石材印、プラスチック素材、合成素材、金属素材等、押し印素材、段差のある重合部分の金属焼印加工全て、押し印した時に中心部分により強い力が加わる仕組みが重要である。「中央部により強い押圧力が加わる仕組み」であれば内容、補助方法はこだわらない。「中心中央部に若干より強い押圧力が加わる仕組み」の中心部の力が加わる部分において、「力が加わる形状又は力が加わり方のシステム」も「段差のある重合部分の押印、押印の中心中央部により強い押圧力が加わる仕組み」が重要である。
あらゆる素材とは重ね合わせることが可能な物質であればよい。
【符号の説明】
【００１９】
1、本体
2、上部平面
3、印、下部平面
4、印押部、おうとつ凹凸面
5、突起部補助材
6、突起物補助材
7、クッション弾力材
8、印部、突起部
9、押し印
10、封筒
11、平面
12、空間
【図１】
2014237279.tif 000003
【図２】
2014237279.tif 000004
【図３】
2014237279.tif 000005
【図４】
2014237279.tif 000006
【図５】
2014237279.tif 000007
【図６】
2014237279.tif 000008
【図７】
2014237279.tif 000009
【図８】
2014237279.tif 000010
【図９】
2014237279.tif 000011
【図１０】
2014237279.tif 000012
【図１１】
2014237279.tif 000013